(57)【要約】【課題】ロッキングチェアーでありながら、背もたれ及び足載せ台の角度調節できるリクライニング機能を有し、且つ、しっかりと安全に固定保持できるリクライニング式ロッキングチェアーを提供する。【解決手段】座席用バー１０，１０、背もたれ用バー２０、肘掛部３０，３０、足載せバー４０、調節装置５０，５０、揺動集成体６０，６０とから構成され、座席用バー、背もたれ用バー、肘掛部、足載せバーは互いに旋廻可能に連結されており、調節装置はそれぞれロッキングチェアーの左右両側に配置され、且つ、対応する座席用バー、肘掛部、および足載せバーに連結されていて、クランプ部５１、アーム用柱部材５２、調節用ボルト５３とを有する。クランプ部の中央孔に通されたアーム用柱部材が、肘掛部と足載せバーとに旋廻可能に連結されていることで、クランプ部は肘掛部に連接される。調節用ボルト５３はクランプ部に可動に据付けられていて、アーム用柱部材に対して選択的に圧力を掛け、チェアーを、ロッキングしたり、リクライニングしたりできるような構成とした。【選択図】図１
0003135903.tif 000002
【実用新案登録請求の範囲】
【請求項１】
リクライニング式ロッキングチェアーであって、
前記ロッキングチェアーは、互いに平行に配置され、前方端部および後方端部を有する２本の座席用バーと、
逆Ｕ字形状であって、その左，右垂直部分が、下方端部を有する側方バーを構成し、前記座席用バーに旋廻可能に連結される背もたれ用バーと、
前記背もたれ用バーの側方バーに旋廻可能に接続され、前方端部と、前記背もたれ用バーの側方バーの下方端部附近に旋廻可能に連結された後方端部とを有する左，右２本の肘掛部と、
逆Ｕ字形状であって、その左，右垂直部分が側方バーを構成し、該側方バーが前記座席用バーおよび肘掛部に連結される足載せバーであって、前記左，右の側方バーは、それぞれ対応する肘掛部の前方端部に旋廻可能に連結される上方端部と、前記上方端部の近くに限定され、それぞれ対応する対応座席用バーの前方端部に旋廻可能に連結される中間部とを有する足載せバーと、
前記座席用バー、前記肘掛部、および前記足載せバーの側方バーそれぞれに対応して接続された調節装置であって、前記調節装置が、それぞれの肘掛部に旋廻可能に取り付けられ、縦に貫通して形成された貫通孔と、横方向に形成され、前記貫通孔と連通するネジ付き孔部とを有するクランプ部と、肘掛部の前方端部および足載せバーの側方バーの上方端部とに旋廻可能に連結され、前記クランプ部の貫通孔の中を摺動させて配置される調節用ボルトと、前記肘掛部の前方端部および前記足載せバーの上方端部に旋廻可能に連結されると共に、前記クランプ部の貫通孔の中を摺動させて配置されるアーム用柱部材と、
前記クランプ部のネジ付き孔の中を回転移動させて取付けられ、前記アーム用柱部材に対して選択的にしっかりと押し付けられるようになる、外方端部および内方端部を有する調節用ボルトとを有する調節装置と、
前記座席用バー、背もたれ用バー、そして足載せバーに敷設することで、シート部と、背もたれ部と、足載せ部とを形成するクッション部材と、
座席用バーに連接される複数本の脚部と、該脚部の底部に接続配置され、前方端部および後方端部を有する揺動部材と、から成り、各座席用バーにそれぞれ対応して配置される左，右２つの揺動集成体と、
から構成されることを特徴とするリクライニング式ロッキングチェアー。
【請求項２】
前記揺動集成体は、更に、
基端部および末端部を有し、前記揺動部材の前方端部および後方端部それぞれに配置され、前記揺動部材が揺動しないように選択的に回動されて立設されるようになる固定用足部と、
前記揺動部材の前方端部および後方端部に対応して配置された固定用足部それぞれに接続配置され、各々の固定用足部が一方向にのみ回転できるように制限する一方向コネクターであって、前記一方向コネクターは、揺動部材の前方端部および後方端部それぞれに設置され、複数個のラチェット歯を有する内側シリンダーと、前記足部の一端部に配設され、前記内側シリンダーのラチェット歯と選択的に係合する複数個のラチェット歯を有する外側シリンダーと、前記内側シリンダーおよび外側シリンダーを通して配置される取付け用ボルトと、前記取付け用ボルトを保持固定するナットと、前記取付け用ボルトの周囲に配置され、外側シリンダーを内側シリンダーに係合するように機能する圧縮バネとを有する一方向コネクターと、
からなることを特徴とする請求項１記載のリクライニング式ロッキングチェアー。
【考案の詳細な説明】
【技術分野】
【０００１】
本考案は、ロッキングチェアーに関し、更に具体的に言うと、ロッキングチェアーでありながらリクライニングして背もたれ及び足載せ台の角度調節ができ、且つ、椅子構造をしっかりと安全に固定保持できるようにしたリクライニング式ロッキングチェアーに関するものである。
【背景技術】
【０００２】
一般的に、ロッキングチェアーは家庭で使用されることが多く、人々が家でくつろぐときに座って前後に揺り動かすことで、リラックス効果をもたらす。従来のロッキングチェアーは揺動することはできるが、座席を倒してリクライニングすることはできなかった。
【０００３】
しかし、リクライニングすることのできるロッキングチェアーが開発されて来た。このリクライニング式ロッキングチェアーは、フレームと、揺動体と、弾性ディスクで構成されている。フレームには座席用バーが２本備わっていて、各座席用バーは、前方部、後方部、そして座席用バーの両端部へ旋廻可能に接続しているＵ字形バーとから構成され、シート、背もたれ用バー、足載せ台、４つの旋廻点を形成することで、使用者は、背もたれおよび足載せ台と、シート間の角度を変えることができるようになっている。
フレーム上には揺動体が配設され、ロッキング動作を生み出す。２つの旋廻点それぞれに、弾性ディスクが配置されていて、座席バーと足載せ台と背もたれバーとの間に摩擦を起こし、フレームが不適切に旋廻しないようにする。
【０００４】
しかし、この弾性ディスクによる摩擦は限定的であって、体重の重い人が座ったときにはフレームが体重を支えきれず、椅子がつぶれてしまうこともある。従って、このような従来のリクライニング式ロッキングチェアーは安全とは言えない。
このような欠点を解消すべく、本考案はこのような問題点をなくしたリクライニング式ロッキングチェアーを提供する。
【考案の開示】
【考案が解決しようとする課題】
【０００５】
本考案は、シートと、背もたれバーと、足載せ台とを有し、シートに対する背もたれ及び足載せ台の角度位置を調節することができると共に、誤動作を起こして旋廻するということのないように各部材をしっかりと保持できるようにしたリクライニング式ロッキングチェアーを提供することを目的とする。
【課題を解決するための手段】
【０００６】
本考案のリクライニング式ロッキングチェアーに係る請求項１の考案は、リクライニング式ロッキングチェアーであって、前記ロッキングチェアーは、互いに平行に配置され、前方端部および後方端部を有する２本の座席用バーと、逆Ｕ字形状であって、その左，右垂直部分が、下方端部を有する側方バーを構成し、前記座席用バーに旋廻可能に連結される背もたれ用バーと、前記背もたれ用バーの側方バーに旋廻可能に接続され、前方端部と、前記背もたれ用バーの側方バーの下方端部附近に旋廻可能に連結された後方端部とを有する左，右２本の肘掛部と、逆Ｕ字形状であって、その左，右垂直部分が側方バーを構成し、該側方バーが前記座席用バーおよび肘掛部に連結される足載せバーであって、前記左，右の側方バーは、それぞれ対応する肘掛部の前方端部に旋廻可能に連結される上方端部と、前記上方端部の近くに限定され、それぞれ対応する対応座席用バーの前方端部に旋廻可能に連結される中間部とを有する足載せバーと、前記座席用バー、前記肘掛部、および前記足載せバーの側方バーそれぞれに対応して接続された調節装置であって、前記調節装置が、それぞれの肘掛部に旋廻可能に取り付けられ、縦に貫通して形成された貫通孔と、横方向に形成され、前記貫通孔と連通するネジ付き孔部とを有するクランプ部と、肘掛部の前方端部および足載せバーの側方バーの上方端部とに旋廻可能に連結され、前記クランプ部の貫通孔の中を摺動させて配置される調節用ボルトと、前記肘掛部の前方端部および前記足載せバーの上方端部に旋廻可能に連結されると共に、前記クランプ部の貫通孔の中を摺動させて配置されるアーム用柱部材と、前記クランプ部のネジ付き孔の中を回転移動させて取付けられ、前記アーム用柱部材に対して選択的にしっかりと押し付けられるようになる、外方端部および内方端部を有する調節用ボルトとを有する調節装置と、前記座席用バー、背もたれ用バー、そして足載せバーに敷設することで、シート部と、背もたれ部と、足載せ部とを形成するクッション部材と、座席用バーに連接される複数本の脚部と、該脚部の底部に接続配置され、前方端部および後方端部を有する揺動部材とから成り、各座席用バーにそれぞれ対応して配置される左，右２つの揺動集成体と、から構成されることを特徴とする。
【０００７】
請求項２の考案は、請求項１記載のリクライニング式ロッキングチェアーにおいて、前記揺動集成体は、更に、基端部および末端部を有し、前記揺動部材の前方端部および後方端部それぞれに配置され、前記揺動部材が揺動しないように選択的に回動されて立設されるようになる固定用足部と、前記揺動部材の前方端部および後方端部に対応して配置された固定用足部それぞれに接続配置され、各々の固定用足部が一方向にのみ回転できるように制限する一方向コネクターであって、前記一方向コネクターは、揺動部材の前方端部および後方端部それぞれに設置され、複数個のラチェット歯を有する内側シリンダーと、前記足部の一端部に配設され、前記内側シリンダーのラチェット歯と選択的に係合する複数個のラチェット歯を有する外側シリンダーと、前記内側シリンダーおよび外側シリンダーを通して配置される取付け用ボルトと、前記取付け用ボルトを保持固定するナットと、前記取付け用ボルトの周囲に配置され、外側シリンダーを内側シリンダーに係合するように機能する圧縮バネとを有する一方向コネクターと、からなることを特徴とする。
【考案の効果】
【０００８】
本考案のロッキングチェアーは、調節用ボルトを回して背もたれ用バーと足載せバーの角度をかえることで、リクライニング式のチェアーとすることができるため、休息する時などは非常にリラックスでき、優れた使い心地を提供することができる。
また、ロッキングチェアーの底部に配置されて揺動動作をもたらす揺動部材部分の両端部に、一方向コネクターで接続された足部をそれぞれ配置したので、ロッキングチェアーから固定式のチェアーに切替え変更することができ、使用範囲が広がり、利用価値が高まる。
【考案を実施するための最良の形態】
【０００９】
以下、図面と共に本考案のリクライニング式ロッキングチェアーについて更に詳細に説明する。
図１は本考案によるリクライニング式ロッキングチェアーの斜視図、図２Ａは、図１のリクライニング式ロッキングチェアーの調節装置の一部断面拡大斜視図、図２Ｂは図１のリクライニング式ロッキングチェアーの調節装置でアーム用柱部材に一列の爪が付いているのを示す拡大斜視図、図３は図１のリクライニング式ロッキングチェアーの側面図、図４は図３のリクライニング式ロッキングチェアーの操作状態を示す側面図、図５は図３のリクライニング式ロッキングチェアーの別の操作状態であって、揺動集成体の脚部が旋廻されて、床に立てた状態を示す使用状態側面図、図６Ａは図５の前脚の破断斜視図、図６Ｂは図５の後脚の破断斜視図である。
【実施例１】
【００１０】
図１を参照して本願考案のリクライニング式ロッキングチェアー１の説明をする。
リクライニング式ロッキングチェアー１は、左，右の座席用バー１０，１０、左、右の背もたれ用バー２０、左、右の肘掛部３０，３０、足載せバー４０、調節装置５０、クッション７０、左，右の揺動集成体６０，６０、そして少なくとも１本の補強部材８０から構成されている。
【００１１】
左，右の座席用バー１０，１０は、各々前端部１１および後端部１２があり、互いに平行に配置されている。
背もたれ用バー２０は逆Ｕ字形状をなすものであって、左，右対向して折り曲げられた垂直部分が側方バーとなる。この左，右側方バーはそれぞれ左，右の座席用バー１０，１０と対応し、その下方端部２１が、それぞれ対応する座席用バー１０，１０の後端部１２へ旋廻可能に連結されている。
【００１２】
左，右肘掛部３０，３０は縦長のバー部材で、それぞれ背もたれ用バー２０の側方バーへ旋廻可能に連結されている。前記肘掛部３０には、前端部３１および後端部３２があり、上面長手方向にパッド３５が配置されている。肘掛部３０の後端部３２は、それぞれ、背もたれ用バー２０の下方端部２１近傍で側方バーに旋廻可能に連結されている。前記パッド３５は肘掛部３０上に配置された弾性クッション部材である。
【００１３】
前記足載せバー４０はＵ字形状をなし、左，右対向して折り曲げられた垂直部分が側方バーとなる。前記足載せバー４０の側方バーは、それぞれ、座席用バー１０に連結し、更には肘掛バー３０へも連結されており、各々の側方バーには上方端部４１と中間部とがある。足載せバー４０の側方バーの上方端部４１は、それぞれ対応する肘掛部３０の前方端部３１へ旋廻可能に連結されている。足載せバー４０の側方バーの中間部は上方端部４１の近傍に定められていて、それぞれ対応する座席用バー１０の前方端部１１へ旋廻可能に連結されている。
【００１４】
前記調節装置５０については、図２Ａおよび図２Ｂを参照して説明をする。
前記調節装置５０は、クランプ部材５１と、アーム用柱部材５２，５２ａ、調節ボルト５３とから成り、座席用バー１０と、肘掛部３０と、足載せバー４０の側方バーとに連結されている。
【００１５】
クランプ部材５１には、貫通孔５１１及びネジ付き孔５１２が形成されていて、貫通孔５１１は、クランプ部材５１を縦に貫通して形成され、ネジ付き孔５１２は、クランプ部材５１に横方向に形成され、貫通孔５１１と連通している。ネジ付き孔５１２の相対向する側にも別の孔が形成されていて、座席用バー１０に形成された孔部を貫通させた別のボルトを係合させて、座席用バーにクランプ部の他端側を係合保持させる。
【００１６】
アーム用柱部材５２，５２ａは、その下端部からクランプ部材５１の貫通孔５１１の中を摺動させてクランプ部材５１を柱部材周囲に位置付け、その上端部は、肘掛部３０の前方端部３１と足載せバー４０の側方バーの前方端部４１とに旋廻可能に連結される。この構造により、クランプ部材５１が、肘掛部３０に旋廻可能に配設される。更に、アーム用柱部材５２，５２ａには、止め部５２２を縦一列に形成しているとよい。
【００１７】
図３及び４について更に説明する。
調節ボルト５３は、内方端部および外方端部があり、内方端部からクランプ部材５１のネジ付き孔５１２へ挿入して回転移動させてゆき、該内方端部をアーム用柱部材５２表面に縦一列に形成された止め部５２２の内の１つに選択的に当接させてから更にきつく締め付けて、調節ボルト５３をアーム用柱部材５２ａの表面に結合させる。調節ボルト５３の外方端部にはノブ５３１が配設されていて、使用者が調節ボルト５３を回し易くしてある。
【００１８】
使用者がロッキングチェアーをリクライニングする場合には、調節ボルト５３のノブ５３１を回して緩めることにより、座席用バーに対する背もたれ用バー２０および足載せバー４０の角度位置を調節できるようになる。
好みの角度位置になったとき、再度、調節ボルト５３をアーム用柱部材５２，５２ａの止め部に係合させて締付けて、背もたれ用バー２０および足載せバー４０をしっかり固定保持する。これにより、丈夫で安定した構造が提供されるようになり、リクライニング式ロッキングチェアーがつぶれてしまうようなことはない。
【００１９】
クッション７０は、プラスチックや、ゴム、木綿、絹等のような材料でつくられる柔軟性のあるもので、座席用バー１０、背もたれ用バー２０、足載せバー４０の上に緊張状態に敷設することで、シート部、背もたれ部、足載せ部が形成される。
【００２０】
左右それぞれの揺動集成体６０は、複数個の脚部６１，６２を有し、対応する座席用バー１０に連結される。そして、その最下部に、揺動運動をもたらす弓形に湾曲した揺動部材６３が配置されている。更に、各揺動部材６３には、その両端部にそれぞれ、固定用足部６５と一方向コネクターとが配置される。
【００２１】
揺動部材６３には前方端部と後方端部があって、この前方端部と後方端部それぞれに固定用足部６５，６５が取り付けられている。ロッキングチェアー１を固定式の椅子にしたい場合には、これら固定用足部を選択的に回転させて立てた状態にして、揺動部材６３が揺動しないようにする。
【００２２】
更に、図５、図６Ａ，図６Ｂについて説明する。
揺動部材６３には一方向コネクターが配設されている。該一方向コネクターは各々の固定用足部６５に対応して揺動部材６３の前方端部および後方端部に配置されており、固定用足部６５を、選択的に、保持固定したり回転したりする。各々の一方向コネクターは、対応する固定用足部６５が一方向にしか回転できないように制限する。また、揺動部材６３上で両端部の固定用足部６５，６５が回転できる回転方向は、それぞれ反対方向である。すなわち、前方端部の固定用足部６５は一方向コネクターにより時計廻り回転を可能にしてあり、一方、後方端部の固定用足部６５は一方向コネクターにより反時計廻りの回転を可能にしてある。
そして、揺動部材６３の揺動運動を停止して、椅子を静止状態に固定しようとする場合、揺動部材６３の前方端部の固定用足部６５を時計廻りに押し付けて回転させ、且つ、揺動部材６３の後方端部の固定用足部６５を反時計廻りに押付けて回転させ、各固定用足部を立てるようにする。
【００２３】
一方向コネクターは、内側シリンダー６４、ナット６４２、外側シリンダー６６、取付けボルト６７、圧縮バネ６８から構成される。
内側シリンダー６４はラチェットで、揺動部材６３の前方および後方端部に配設されており、外方側面、内方側面、中央孔、複数個のラチェット歯６４１を有し、皿穴６６２を包含している。中央孔は内側シリンダー６４を貫通して形成されており、シリンダー６４の内方側面にはラチェット歯６４１が形成されている。
外側シリンダー６６はラチェットであり、固定用足部６５の基端部に配置されている。外側シリンダー６６は、外方側面、内方側面、中央孔、皿穴６６２、複数個のラチェット歯６６１を有する。中央孔は外側シリンダー６６を貫通して形成されている。皿穴６６２は、外側シリンダー６６の外方側面の方に形成され、シリンダー６６の中央孔と同心的に連通している。外側シリンダー６６の内方側面の方には、ラチェット歯６６１が形成されていて、内側シリンダー６４のラチェット歯６４１と選択的に係合されるようになる。
【００２４】
内側，外側シリンダー６４，６６のラチェット歯６４１，６６１それぞれを合わせて、両シリンダーの中央孔の中に、周囲に圧縮ばね６８を装着した据付けボルト６７を摺動させて配置する。据付けボルト６７の一端部には拡大頭部６７１が配置されている。据付けボルト６７を締付移動させることで圧縮バネ６８を拡大頭部によって押圧してゆき、圧縮ばね６８の先端は皿穴６６２のところに当接されて停止する。そして、据付けボルト６７の他端部のみが内側シリンダー６４の中央孔を貫通してナット６４２でしっかりと止められ、固定用足部６５の付いた外側シリンダー６６が内側シリンダー６４と係合されるようになる。
【００２５】
更にまた、揺動部材６３にはその後部に制限部が配設されており、リクライニング式ロッキングチェアーが揺動しすぎたり、後ろに倒れたりするのを防止できるようになっている。
補強部材８０が左，右の揺動部材６３，６３の間に少なくとも１本配設してある。
【００２６】
調節装置５０は、背もたれ用バー２０と足載せバー４０を、座席用バー１０に対して色々な角度で変化をつけることができると共に、しっかりと保持固定することができるので、リクライニング式ロッキングチェアーは安定してリクラインできる。また更に、固定用足部６５，６５により、選択的に揺動集成体６０を揺動しないようにして、固定することができる。
【００２７】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案の保護範囲は、実用新案登録請求の範囲で指定した内容を基準とする。
【図面の簡単な説明】
【００２８】
【図１】本考案によるリクライニング式ロッキングチェアーの斜視図。
【図２Ａ】図１のリクライニング式ロッキングチェアーの調節装置の一部断面拡大斜視図。
【図２Ｂ】図１のリクライニング式ロッキングチェアーの調節装置でアーム用柱部材に一列の爪が付いているのを示す拡大斜視図。
【図３】図１のリクライニング式ロッキングチェアーの側面図。
【図４】図３のリクライニング式ロッキングチェアーの操作状態を示す側面図。
【図５】図３のリクライニング式ロッキングチェアーの別の操作状態であって、揺動集成体の脚部が旋廻されて、床に立てた状態を示す使用状態側面図。
【図６Ａ】図５の前脚の破断斜視図。
【図６Ｂ】図５の後脚の破断斜視図である。
【符号の説明】
【００２９】
１      リクライニング式ロッキングチェアー
１０    座席用バー
１１    座席用バーの前方端部
１２    座席用バーの後方端部
２０    背もたれ用バー
２１    背もたれ用バーの側方バーの下方端部
３０    肘掛部
３１    肘掛部の前方端部
３２    肘掛部の後方端部
３５    パッド
４０    足載せバー
５０    調節装置
５１    クランプ部材
５１１  貫通孔
５１２  ネジ付き孔
５２（５２ａ）  アーム用柱部材
５３    調節ボルト
５３１  調節ボルトのノブ
６０    揺動集成体
６１，６２      脚部
６３    揺動部材
６４    一方向コネクターの内側シリンダー
６４１  内側シリンダーのラチェット歯
６５    固定用足部
６６    一方向コネクターの外側シリンダー
６６１  外側シリンダーのラチェット歯
６７    取付けボルト
６８    圧縮バネ
７０    クッション
８０    補強部材
【図１】
0003135903.tif 000003
【図２Ａ】
0003135903.tif 000004
【図２Ｂ】
0003135903.tif 000005
【図３】
0003135903.tif 000006
【図４】
0003135903.tif 000007
【図５】
0003135903.tif 000008
【図６Ａ】
0003135903.tif 000009
【図６Ｂ】
0003135903.tif 000010